(57)【要約】      （修正有）【課題】カード収納部を備えた財布やバッグ、あるいはカード入れに関し、カードの出し入れを容易にする。【解決手段】本革、合成皮、紙、布などで構成された基台１に、銀行カードやクレジットカード等６１，６２、６３，６４を収納する複数のポケットを備えたものにおいて、前記ポケットを仕切る仕切り３１，３２，３３，３４に、指の挿入を許容する大きさのＶ字状、あるいはＵ字状の切込み３５，３６，３７，３８を設ける。【選択図】図１
2019130263.tif 000002
【特許請求の範囲】
【請求項１】
本革、合成皮、紙、布などで構成された基台に、比較的硬質の銀行カードやクレジットカード等を収納する複数の階段状のポケットを備えたものにおいて、
前記ポケットを仕切る仕切りに、指の挿入を許容する大きさのＶ字状あるいはＵ字状に切込みを形成し、更に、このＶ字状あるいはＵ字状の切込みの左右上端を、前記ポケットの左右のヘリの付近を起点にした財布、カバンやバッグ、あるいはカード入れ。
【請求項２】
請求項１記載の財布、カバンやバッグ、あるいはカード入れにおいて、
前記仕切りにＶ字状の切込みとした場合は、その谷部の亀裂を防止するように丸く形成した財布、カバンやバッグ、あるいはカード入れ。
【請求項３】
請求項１記載の財布、カバンやバッグ、あるいはカード入れにおいて、
前記でカットした切込みの深さは、カードの縦方向の半分かそれ以上の寸法に形成した  財布、カバンやバッグ、あるいはカード入れ。
【発明の詳細な説明】
【技術分野】
【０００１】本発明は、カード収納部を備えた財布、カバンやバッグ、あるいはカード入れに関するものである。
更に詳しくは、特にカードの取り出し入れと取り出しを容易にするカード収納部を備えた財布、カバンやバッグ、あるいはカード入れに関するものである。
【背景技術】
【０００２】  従来、カードを収納するポケットを備えた財布が多く出回っている。
カードには、キャッシュカード、クレジットカード、病院の診察カード等多種類のカードあり、複数枚のカードを持ち歩く人が多い。持ち歩くカードの枚数は、少なくとも５〜６枚程度であるが、多い人は２０枚を超える場合がある。
財布にカードを多数枚持ち歩くと、カードは、カード入れのポケットにきつく収納され、カード同士が密着し、あるいはカードを分離する仕切りに密着している状態になっている。【０００３】  従って、財布のポケットから、特に取り出すことが困難になる。
これは、財布が固いことと、カードが比較的硬質の合成樹脂で成形されていることに起因する。【０００４】  本発明は、前記に着目し、財布は本革などの硬質にしたままで、比較的硬質の合成樹脂等のカードの仕切りの形状を工夫して、カードの取り出しを容易にするものである。
更に詳しくは、カードを収納するポケットの仕切りをＶ字形状にカットし、カードを容易に取り出すことができるようにしたものである。【０００５】
【先行技術文献】
【特許文献】
【０００６】
【特許文献１】特許第６１１３２２４号公報
【特許文献２】特開２０１１−１３８６７５号公報
【特許文献３】特許第５４５３７０３号公報
【発明の概要】
【発明が解決しようとする課題】
【０００７】  特許文献１に記載されている発明は、「カード収納部からスムースにカードを引き出す」ことを目的として、その構成は、「基台部材に設けたポケットは、１対の直角台形状のポケット形成片１１、１２からなり、１対のポケット形成片は、長い方の底辺同士が交差するように基台部材に固着されている。」としたものである。【０００８】  しかし、この特許文献１は、２枚のポケット形成片１１、１２で、重畳部を形成することか必須であり、そのために厚い財布になってしまう。
従って、多数のカードをポケットに入れて、持ち運ぶのには適していない。【０００９】  特許文献２に記載されている発明は、「カードの取り出しスムースにできる」とし、その構成は、「カードの４辺に沿って凹部あるいは穴を設けたもの」である。【００１０】  言い換えれば、この発明は、カードに指を引っ掛ける部分を設け、カードの取り出しを容易にする、としている。
しかし、この発明は、カードを新規に加工しなければならず、現在使用されている天文学的な枚数のカードには適用できないという致命的な欠点を有する。
また、カードを加工する必要があるので、個人情報などを記録するカードの表面全部を利用できない。
従って、この本発明は、非現実的なものと言える。【００１１】  尚、特許公報の図４において、カード入れ２０に一部切り欠きが見受けられるが、この切り欠きが何のために存在するのか不明である。【００１２】  特許文献３に記載された発明は、二つ折り財布において、「二つ折りにした場合、財布が膨らみにくく、使い易い財布を提供する」とし、二つ折りにした場合、厚くならないで薄くすることである。
従って、本発明のように、カードの取り出しを容易にする本発明の目的とは異にするものである。【００１３】  このことは、公報の項目番号「００２６」に、二つ折りにした場合、「札抑え部と重複するカード収納部分には切込みが入れられているため、二つ折りにした状態であっても厚みを抑えることができる。」と記載されていることからあきらかである。
このように、前述の特許公報には、いずれも本発明の目的であるカードの取り出しを容易にすることについては、一切言及されていないものである。【００１４】  すなわち本発明は、カード収納部を備えた財布、カバンやバッグ、あるいはカード入れにおいて、カード収納部に複数枚収納されているカードの取り出しを容易にするものである。
【課題を解決するための手段】
【００１５】    前記目的を達成するために、本発明は、本革、合成皮、紙、布などで構成された基台に、銀行カードやクレジットカード等を収納する複数の階段状のポケットを備えたものにおいて、
前記ポケットを仕切る仕切りに、指の挿入を許容する大きさのＶ字状あるいはＵ字状に切込みを形成し、更に、このＶ字状あるいはＵ字状の切込みの左右上端を、前記ポケットの左右のヘリの付近を起点にしたことである。
また、Ｖ字状の切込みとした場合は、その谷部の亀裂を防止するように丸く形成したことである。
更に、前記でカットした切込みの深さは、カードの縦方向の半分かそれ以上の寸法に形成したものである。
【発明の効果】
【００１６】  前記構成により、本発明は、カード収納部のポケットを形成する仕切りに、Ｖ字状あるいはＵ字状の切込みを設けたので、カードを爪あるいは指で容易に取り出すことができるものである。
また、カード収納部に多数枚収納した場合は財布が厚くならず、持ち運ぶのに好適になる。
【図面の簡単な説明】
【００１７】
【図１】本発明の一実施例を示すもので、財布を開いた状態を示す図。
【図２】カードを指でつまんで上方に取り出す状態の概略カード収納部上面図。
【図３】同じく横方向から見た模擬的な概略説明図。
【発明を実施するための形態】
【００１８】  以下、本発明の一実施例として、折り畳み財布の例を示したが、本発明は前述のように、バッグやカード入れ、あるいはこれらに類するものにも適用される。
【００１９】  以下、図に基づいて説明する。
１は、本革、人造皮、布、紙などで成形される基台である。
基台１には、長手方向全長に亘って、紙幣の長さ寸法より若干長い寸法の紙幣入れ２が設けられている。
紙幣入れ２の長手方向半分にはカード収納部３、反対の半分には小銭入れ４が設けられており、これらのカード収納部３と小銭入れ４の間には財布を折り返えし可能にする屈曲部５が設けられている。
前記小銭入れ４には、小銭の落下を防止する蓋４１が設けられており、この蓋４１にはホックなどの留め金４２が設けられている。
【００２０】  カード収納部３には、この図に示すように、基台１には、基台１間、あるいはカードを収納するポケット間を仕切る仕切り３１、３２、３３、及び３４が設けられている。
図の例では、４枚の仕切りで４個のポケットで構成したが、これ以上あるいはこれ以下でも任意である。また、これらに仕切りは階段状に前記基台１に固着されている。
５は、前記カード収納部３と小銭入れ４間に設けられた屈曲部であり、本革を複数枚張り合わせて財布を構成するときは屈曲容易にするように枚数を減らす。
【００２１】  ６１は前記ポケットに収納された１枚目のカード、６２は２枚目のカード．６３は３枚目のカード、及び６４は４枚目のカードを示しており、それぞれのカードは、階段状にずらして収納されており、上方辺は隣接するカードと密着し重なっている。
そのため、カード収納部３、すなわちポケットを本皮などで形成しているときは、ポケットにカードがきつく密着し、カードを指で摘まんで取り出すのが非常に困難になる。
一点鎖線、２点鎖線、３点鎖線、４点鎖線は、それぞれのカードの下辺端を示す。
【００２２】  前記仕切り、３１、３２、３３、３４は、外周を基台１と同じ本革で形成され、その外周をヘリ取りし、それぞれ基板１にミシンなどで縫製して固着している。ヘリの縫製部は図２の実線で示しており、その縫い目は図１に点線で表わしている。
図２の７１は、指で摘まむときの親指、７２は人差し指である。
更に、前記仕切り３１〜３４には、本発明の主要部であるＶ字形状、あるいはＵ字形状の切込み３５〜３８を形成している。
８は、前記の切込みのうちＶ字形状の谷部に形成された谷部で、これは亀裂を防止するためのものである。
【００２３】  前記ＶまたはＵ字形状の切込みの起点は、カードが落ちないように、カードの左右ヘリの縫製部、すなわち、ヘリ取りされた付近まで切込んで、カードの左右端をきつく挟むようにしている。
又、前記で切込みは、指でカードを摘むことができるように、カードの縦の半分あるいはそれ以下の長さにした方が、爪をひっかけ、あるいは、その後の指を挿入することができるようにしている。
このとき、当然であるが、カードが落下しないようにしなければならない。
【００２４】  また、前記の切込みの谷部８は、丸みにして、裂損を防ぐように工夫されている。
この丸みは、見栄えを損なわないように考慮しなければならない。
また、前述の構成において、カードを指で挟んで取り出すとき、指は、仕切りにＶカットされているので、次の仕切りの邪魔にならず、カードを容易に摘まむことができ、カードを容易に取り出すことができる。
【００２５】  次に、図２及び図３に基づいて、カードを、カード収納部３から取り出す動作について説明する。
図２は、２枚目のカード６２を親指７１と人差し指７２で摘まんだ状態のカード収納部３を上から見た状態を示している。
図３は、同じく第２枚目のカード６２を指で摘まんだ状態の横方向から見た模擬的な状態を示している。
【００２６】  以下、２枚目のカード６２を引き出すとき、カード６２は、その両側辺がカード収納部３の両側で押えられているので、カード６２は図２のように手前ように撓む。
カード６２が撓めば、人差し指７２は、１枚目のカード６１と２枚目のカード６２間に挿入でき、容易にカード６２は取り出すことができる。
また、カードは、階段状に設けられたポケットに収納され、従って、カードも階段状に収納されているので、カードを取り出すとき隣接するカードと干渉せず、爪の引っ掛けやスムースに指を挿入することかできるのである。
同様にして、他のカードも容易に取り出すことができる。
【００２７】  前述のように、仕切り３１〜３４にはＶ字形状の切込みが施されているので、人差し指７２は、カード間の隙間、仕切りと基台間の隙間、あるいは、カード収納部３の表皮間の隙間に容易に挿入できる。
すなわち、仕切りにＶ字形状の切込みが形成されているので、指を挿入する場合仕切りは邪魔にならないものである。
また、カードは、樹脂成型物で硬質であってもある程度は撓むので、この撓みを利用して、上記のようにカードを指で摘まむことができるようになるのである。
このようにして、複数のカードを容易に順次取り出すことができる。
【００２８】  以上のように本発明によれば、カード収納部の仕切りに、Ｖ字形状あるいはＵ字形状の切込みを設けたものであるので、きつく収納されているカードを、指で摘まみ、容易に取り出すことができるものである。
尚、本発明は以上のように財布の例で説明したが、この一実施例に限定されるものではなく、例えば、財布のほかにバッグ、トランク、カード入れなどに適用されるものである。
【符号の説明】
【００２９】  １…基台、２…紙幣入れ、３…カード収納部、３１、３２、３３、３４…仕切り、３５，３６，３７，３８…Ｖ字状あるいはＵ字状の切り込み、４…小銭入れ、４１…蓋、４２…ホック、５…屈曲部、６…カード、６１…１枚目のカード、６２…２枚目のカード、６３…３枚目のカード、６４…４枚目のカード、７１…親指、７２…人差し指、８…谷部
【図１】
2019130263.tif 000003
【図２】
2019130263.tif 000004
【図３】
2019130263.tif 000005